(57)【特許請求の範囲】
【請求項１】
所定のデータを保持している媒体の該データを読み取る本体装置と、
前記本体装置が前記データを読み取るための該データを読み出すための補助装置である媒体読み取り手段と、
前記媒体と前記媒体読み取り手段との間に設置され該媒体と媒体読み取り手段との間の接続のＯＮ／ＯＦＦを行うアダプタ手段と、
前記ＯＮ／ＯＦＦを制御する接続手段とを有し、
前記接続手段は、前記アダプタ手段および前記本体装置と接続され、前記アダプタ手段に対して電源の供給／切断を実行し、該電源の供給／切断を実行することで前記媒体と前記媒体読み取り手段との間の接続のＯＮ／ＯＦＦを変化させ、前記媒体と前記媒体読み取り手段との間の繰り返し挿抜動作試験を可能としたことを特徴とする挿抜試験システム。
【請求項２】
前記接続手段は、前記アダプタ手段に対して前記電源の供給／切断を実行するための電源制御手段を具備することを特徴とする請求項１記載の挿抜試験システム。
【請求項３】
前記接続手段は、前記接続状況を監視する接続検出手段を、さらに具備することを特徴とする請求項１記載の挿抜試験システム。
【請求項４】
前記接続手段は、前記接続状況を監視する接続検出手段を、さらに具備することを特徴とする請求項２記載の挿抜試験システム。
【請求項５】
前記接続手段は、前記接続検出手段の情報を読み取り、前記電源制御手段の接続状況を変化させる動作を制御する制御手段を、さらに具備することを特徴とする請求項４記載の挿抜試験システム。
【請求項６】
前記本体装置は、該本体装置上で動作するアプリケーションとテストプログラムを具備することを特徴とする請求項１から５の何れか１項に記載の挿抜試験システム。
【発明の詳細な説明】
【０００１】
【発明の属する技術分野】
本発明は、挿抜試験システムに関し、例えば、所定のデータが格納された媒体と本体装置との間の挿抜機能試験を行う、挿抜試験システムに関する。
【０００２】
【従来の技術】
従来、挿抜試験システムは一般に、媒体と該媒体の挿抜対象となる機器とで構成される。
【０００３】
従来の挿抜試験システムについて図面を用いて説明する。図３は従来の挿抜試験システムの一構成例を示すブロック図である。
【０００４】
図３に示す従来の挿抜試験システムは、媒体５と媒体読み取り器４と本体装置１とディスプレイ２と入力装置３とを有して構成される。媒体５はデータを格納しており、この媒体５のデータを本体装置１が読み取るための補助装置として媒体読み取り器４を使用する。媒体読み取り器４と本体装置１との間の制御を、アプリケーション６で行う。アプリケーション６の操作を入力装置３で行い、結果の表示をディスプレイ２で行う。
【０００５】
図４は、従来の挿抜試験システムの動作を説明するためのフローチャートである。図３および図４を用いて、従来の挿抜試験システムの動作例を詳細に説明する。
【０００６】
動作ステップＢ１で媒体５を媒体読み取り器４に挿入後、動作ステップＢ２でアプリケーション６を実行する。動作ステップＢ３でアプリケーション６の終了チェックを行い、異常終了の場合は動作ステップＢ１〜Ｂ７の処理を終了し、正常終了の場合は、媒体抜き取りの動作ステップＢ４を実行する。動作ステップＢ４で媒体５を媒体読み取り器４から取り外し、動作ステップＢ５で試験回数をカウントする。動作ステップＢ６で試験を終了するか続行するかの要求を確認し、動作ステップＢ７で試験継続チェックを行い、終了する場合は動作ステップＢ１〜Ｂ７処理を終了、続行する場合は動作ステップＢ１からの処理を再び実行する。なお、動作ステップＢ１、Ｂ４〜Ｂ７のそれぞれの処理には人手が介入する。
【０００７】
本発明と技術分野の類似する先願発明例１として、特開平６−２０８７７９号公報の「媒体挿抜寿命自動試験機」がある。本先願発明例１は、フロッピー（登録商標）ディスク装置（ＦＤＤ）に対する評価試験（寿命試験）を自動化すると共に、高精度の試験結果データが得られるようにすることを目的としている。
【０００８】
従来例２の特開平１０−１５７２５６号公報の「媒体処理装置のテストモード起動方法および媒体処理装置の試験方法」は、操作パネルからの操作あるいはホスト装置からの操作等によらず、テストモードを起動する方法を提供することを目的としている。
【０００９】
従来例３の特開平１０−３１５０６３号公報の「挿抜試験装置」は、光ファイバコネクタの挿抜試験装置に係わり、人の手で挿抜する際の感覚と柔軟性を持たせ得る機構と、挿抜の力や速度を繰り返し同じ条件で制御できる機構とを装備した、挿抜試験装置を提供することを目的としている。
【００１０】
従来例４の特開２００１−５６８５１号公報の「カード検査装置」は、電気的検査の際にカード供給から検査・排出までの工程を一括して行うことが可能なカード検査装置に関する技術を開示している。
【００１１】
従来例５の特開平８−３１３５７９号公報の「ＰＣカードのテスト装置」は、ＰＣカードとカードスロット間に装着して受信信号を観察可能とするテスト装置を開示している。
【００１２】
【発明が解決しようとする課題】
しかしながら、上記の従来技術それぞれに対して、工数の削減追求と本来の動作の検証の実行に妨げとなる要因の排除等に、さらなる追求が求められている。
【００１３】
本発明は、ＰＣカード媒体等の挿抜を伴うシステムの試験を自動化することで工数の削減とシステム評価を簡略化する、挿抜試験システムを提供することを目的としている。
【００１４】
【課題を解決するための手段】
かかる目的を達成するため、本発明の挿抜試験システムは、所定のデータを保持している媒体の該データを読み取る本体装置と、本体装置がデータを読み取るための該データを読み出すための補助装置である媒体読み取り手段と、媒体と媒体読み取り手段との間に設置され該媒体と媒体読み取り手段との間の接続のＯＮ／ＯＦＦを行うアダプタ手段と、ＯＮ／ＯＦＦを制御する接続手段とを有し、接続手段は、アダプタ手段および本体装置と接続され、アダプタ手段に対して電源の供給／切断を実行し、該電源の供給／切断を実行することで媒体と媒体読み取り手段との間の接続のＯＮ／ＯＦＦを変化させ、媒体と媒体読み取り手段との間の繰り返し挿抜動作試験を可能としたことを特徴とする。
【００１６】
さらに、上記の接続手段は、アダプタ手段に対して電源の供給／切断を実行するための電源制御手段を具備し、接続状況を監視する接続検出手段を具備し、接続検出手段の情報を読み取り、電源制御手段の接続状況を変化させる動作を制御する制御手段をさらに具備し、本体装置は、該本体装置上で動作するアプリケーションとテストプログラムを具備するとよい。
【００１７】
【発明の実施の形態】
次に、添付図面を参照して本発明による挿抜試験システムの実施の形態を詳細に説明する。図１および図２を参照すると、本発明の挿抜試験システムの一実施形態が示されている。
【００１８】
図１は、本発明の一実施例を示すブロック図である。図１に示す挿抜試験システムは、媒体５と接続器７と媒体読み取り器４と本体装置１とディスプレイ２と入力装置３とを有して構成される。
【００１９】
媒体５は、所定のデータを格納している。
媒体読み取り器４は、本体装置１が媒体５のデータを読み出すための補助装置である。
【００２０】
アダプタ部８は、媒体５と媒体読み取り器４との間に設置され、接続器７で媒体５と媒体読み取り器４との間の接続状態が制御される。
接続器７は、制御部９と接続検出部１０と電源制御部１１とで構成される。
制御部９は、テストプログラム１２からの指示によって接続検出器４の情報を読み取り、電源制御部１１を制御する。
【００２１】
接続検出部１０は、媒体５とアダプタ部８と媒体読み取り器４の接続状況を監視する。
電源制御部１１は、アダプタ部８に対して電源の供給／切断を実行することで媒体５と媒体読み取り器４との接続状況を変化させる。つまり、電源の供給／切断を実行することで、媒体５と媒体読み取り器４との間の電気的な接続／切断の接続状況を変化させる。
【００２２】
アプリケーション６とテストプログラム１２は、本体装置１上で動作する。
アプリケーション６は、媒体読み取り器４によって媒体５のデータを本体装置１に転送させる機能を有する。
テストプログラム１２は、アプリケーション６の実行を管理し、接続器７を制御する。このテストプログラム１２は、試験実行回数を累積カウンタ１４に格納する。
【００２３】
入力装置３は試験の目標試験回数を入力し、入力データは目標回数メモリ１３に格納される。
ディスプレイ２は、目標回数メモリ１３および累積カウンタ１４に格納されている目標試験回数と累積試験回数を表示する。また、アプリケーション６のメッセージも表示する。
【００２４】
（動作の説明）
図２は、本発明による挿抜試験システムの動作例を示すフローチャートである。図１および図２を参照して本発明の動作例について以下に説明する。
動作ステップＳ１で試験回数の目標値を入力装置３によって入力し、その入力データは目標回数メモリ１３に格納される。
【００２５】
動作ステップＳ２で接続検出部１０の情報を読み出し（リードし）、動作ステップＳ３で媒体５とアダプタ２、および媒体読み取り器４の接続状況をチェックする。接続されていれば動作ステップＳ４を実行し、未接続であれば媒体５とアダプタ２、媒体読み取り器４が接続されていないことが考えられるので本試験を終了する。
【００２６】
動作ステップＳ４で制御部９は、電源制御部１１に対して媒体５に対して電源供給を行うように指示する。動作ステップＳ５で接続検出部１０の情報を読み出し、動作ステップＳ６で媒体に電源供給されているか否かをチェックする。電源が供給されていれば（ＤＣ  ＯＮ）、動作ステップＳ７を実行し、電源が供給されていなければ（ＤＣ  ＯＦＦ）、本処理を終了する。動作ステップＳ７でテストプログラム１２は、アプリケーション６を実行させる。動作ステップＳ８ではアプリケーション６の終了状態をチェックし、正常終了であれば動作ステップＳ９を実行し、異常終了であれば本処理を終了する。
【００２７】
動作ステップＳ９で制御部９は、電源制御部１１を制御し、媒体５への電源供給を切断する（ＤＣ  ＯＦＦ）。動作ステップＳ１０で接続検出部１０の情報を読み出し、動作ステップＳ１１で媒体５に対して電源が切断されたかどうかを確認する。電源が切断されていれば（ＤＣ  ＯＦＦ）、動作ステップＳ１２を実行し、切断されていなければ（ＤＣ  ＯＮ）、本処理を終了する。
【００２８】
動作ステップＳ１２でテストプログラム１２は、試験回数をカウントし、累積カウンタ１４にデータを格納する。このとき、ディスプレイ２に累積試験回数を表示する。動作ステップＳ１３では、動作ステップＳ１で入力された目標試験回数を目標回数メモリ１３より読み出し、動作ステップＳ１４で累積カウンタ１４に格納されている試験累積回数と比較する。比較したデータが一致していなければ動作ステップＳ４を実行し、一致すれば本試験を終了する。
【００２９】
上記の実施形態によれば、アダプタ部８は媒体５と媒体読み取り器４の間に設置する。人手が介入していた媒体５と媒体読み取り器４の挿抜を、接続器７の電源制御部１１によってアダプタ部８の電源を供給／切断することで、本体装置１からは媒体５と媒体読み取り器４が挿抜されたように見える擬似挿抜にて実施する。アプリケーション６とテストプログラム１２とを連携させることで、システム評価を自動化する。
【００３０】
（実施形態の効果）
本発明の挿抜試験システムの第１の効果は、アダプタ部８と接続器７を追加することにより、媒体５と媒体読み取り器４間を接続／切断する動作を本体装置１で制御ができるので、工数の削減ができることである。
【００３１】
第２の効果は、アプリケーション６本来の動作の検証が容易にできることである。その理由は、擬似挿抜することによりアプリケーション６の動作から媒体５と媒体読み取り器４の間の接続不良などの物理的要因を取り除くことができるからである。
【００３２】
なお、上述の実施形態は本発明の好適な実施の一例である。ただし、これに限定されるものではなく、本発明の要旨を逸脱しない範囲内において種々変形実施が可能である。
【００３３】
【発明の効果】
以上の説明により明らかなように、本発明の挿抜試験システムは、所定のデータを保持している媒体のデータを読み取り、媒体と媒体読み取り器との間の接続のＯＮ／ＯＦＦを行うアダプタ部を設置し、媒体と媒体読み取り器との間の繰り返し挿抜動作試験を可能としている。これにより、工数の削減ができ、動作の検証を容易に行うことができる。
【図面の簡単な説明】
【図１】本発明による挿抜試験システムの実施形態を示すブロック図である。
【図２】本発明による挿抜試験システムの動作例を示すフローチャートである。
【図３】従来の挿抜試験システムの一構成例を示すブロック図である。
【図４】従来の挿抜試験システムの動作を説明するためのフローチャートである。
【符号の説明】
１  本体装置
２  ディスプレイ
３  入力装置
４  媒体読み取り器
５  媒体
６  アプリケーション
７  接続器
８  アダプタ部
９  制御部
１０  接続検出部
１１  電源制御部
１２  テストプログラム
１３  目標回数メモリ
１４  累積カウンタ
【図１】
0003641441.tif 000002
【図２】
0003641441.tif 000003
【図３】
0003641441.tif 000004
【図４】
0003641441.tif 000005